(57)【特許請求の範囲】
【請求項１】
製箱機、箱詰機、ピロー包装機、フィルム包装機、その他の包装機について、包装機のラインの全体または部分を構成するライン構成装置と、
ライン構成装置において設定ないし調整が必要な部位の近傍に配置される、タッチパネル式の表示面を有する複数の端末装置と、
各端末装置と接続した、タッチパネル式の表示部を有する主装置と、
を有する包装ラインシステムであって、
主装置は、
箱、フィルム、その他の包装資材、および／または、収容物に基づいて名付けられた作業名を表示部を介して入力する作業名入力手段と、
作業名と、部位の名称と、作業名に対応した、当該部位の位置、間隔、数値その他の設定ないし調整に関する情報である設定情報と、当該名称と設定情報とをどの端末装置に表示させるかの情報と、を組にして記憶した記憶手段と、
作業名入力手段により入力された作業名に基づき、記憶手段に記憶された情報の組を抽出する抽出手段と、
抽出手段により抽出された情報を、該当する端末装置へ送出する情報送出手段と、
端末装置からの通知に基づいて、作業名入力手段により入力された作業名にかかる総ての部位の設定ないし調整が完了したと判断される場合に、ライン構成装置の起動ないし駆動をおこなわしむる表示である開始表示を表示部に表示させる主表示制御手段と、
を具備し、
端末装置は、それぞれ、
主装置から送出された情報を入力する情報入力手段と、
情報入力手段により入力された情報に基づき、表示面に部位の名称と設定情報とを表示させる表示手段と、
表示面へのタッチを検知して、設定ないし調整が完了した旨の表示をおこなう端末表示制御手段と、
表示面へのタッチを検知して、当該タッチにかかる部位の設定ないし調整が完了したことを主装置へ通知する完了通知手段と、
を具備し、
ライン構成装置は、主装置における開始表示へのタッチに基づき起動ないし駆動を開始することを特徴とする包装ラインシステム。
【請求項２】
各部位は色分けされており、
表示面における部位の名称と設定情報との表示は、当該部位と同じ配色とすることを特徴とする請求項１に記載の包装ラインシステム。
【請求項３】
表示面へのタッチの時間間隔を計測する計測手段と、
計測手段により計測された時間間隔が所定の時間間隔より短い場合に警告をおこなう警告手段と、
を具備したことを特徴とする請求項１または２に記載の包装ラインシステム。
【請求項４】
表示面へのタッチの時間間隔を計測する計測手段を具備し、
計測手段により計測された時間間隔が所定の時間間隔より短い場合には開始表示が表示されないことを特徴とする請求項１または２に記載の包装ラインシステム。
【発明の詳細な説明】
【技術分野】
【０００１】
本発明は、箱の組立てから箱に収容物を収容し出荷可能な状態にする箱詰機、また、製箱機、さらには、フィルム包装機やピロー包装機といった、広義の包装機において、包装機のライン（以降適宜包装ラインと称する。）にタッチパネル式端末装置を複数配置し、箱やフィルムといった包装資材、また収容物の変更に伴う装置の設定変更や調整の作業性と確実性を向上させるシステムに関する。
【背景技術】
【０００２】
従来、包装ラインでは、箱やフィルム等の包装資材の種類変更等に伴い、たとえば、仕切り間隔、送り出し速度、サクションカップの位置、プッシャの押込み深さ、不良品排除を決定づける閾値などを設定ないし調整する必要があった。すなわち、装置の構成要素の位置、間隔、数値、その他の設定ないし調整が必要であった（以降において、この変更作業ないし調整作業を「型替え」と適宜称する）。
【０００３】
この型替えは、一日に複数回おこなうことも珍しくなく、型替え箇所（調整部位）は一回につきおよそ３０前後であるが、複雑なラインでは倍以上、場合によっては１００程度となることもある。また、調整部位は分散しているのが通常であり、作業時間は１時間以上要することもある。
【０００４】
従来では、紙媒体のマニュアルやタブレットを見ながら順次作業場所に移動し、適正に型替えをおこなっていた。
【０００５】
しかしながら、従来の技術では以下の問題点があった。
マニュアルやタブレットを見る場合は片手がふさがり、両手作業が困難となるという問題点があった。また、両手を解放する場合は、マニュアルやタブレットを別の所に置かないといけないが、必ずしも近場で見やすい場所に置けるとも限らない。このとき、設定値等を覚えられればよいが、実際は、たとえば三軸を調整する場合には、無意味な複数ケタの数字を３つ覚える必要があるなど、確実性に欠けてしまうといった問題点があった。すなわち、従来は、包装ラインの型替えの作業性が悪いという問題点があった。
【先行技術文献】
【特許文献】
【０００６】
【特許文献１】特開２０１１−５３９５０
【特許文献２】特開２００９−２３４６８２
【特許文献３】特開２００８−１３４７３４
【特許文献４】特開２０１３−３０５２０
【発明の概要】
【発明が解決しようとする課題】
【０００７】
本発明は上記に鑑みてなされたものであって、包装ラインの型替えの作業性と確実性を向上させることを目的とする。
【課題を解決するための手段】
【０００８】
請求項１に記載の包装ラインシステムは、製箱機、箱詰機、ピロー包装機、フィルム包装機、その他の包装機について、包装機のラインの全体または部分を構成するライン構成装置と、ライン構成装置において設定ないし調整が必要な部位の近傍に配置される、タッチパネル式の表示面を有する複数の端末装置と、各端末装置と接続した、タッチパネル式の表示部を有する主装置と、を有する包装ラインシステムであって、主装置は、箱、フィルム、その他の包装資材、および／または、収容物に基づいて名付けられた作業名を表示部を介して入力する作業名入力手段と、作業名と、部位の名称と、作業名に対応した、当該部位の位置、間隔、数値その他の設定ないし調整に関する情報である設定情報と、当該名称と設定情報とをどの端末装置に表示させるかの情報と、を組にして記憶した記憶手段と、作業名入力手段により入力された作業名に基づき、記憶手段に記憶された情報の組を抽出する抽出手段と、抽出手段により抽出された情報を、該当する端末装置へ送出する情報送出手段と、端末装置からの通知に基づいて、作業名入力手段により入力された作業名にかかる総ての部位の設定ないし調整が完了したと判断される場合に、ライン構成装置の起動ないし駆動をおこなわしむる表示である開始表示を表示部に表示させる主表示制御手段と、を具備し、端末装置は、それぞれ、主装置から送出された情報を入力する情報入力手段と、情報入力手段により入力された情報に基づき、表示面に部位の名称と設定情報とを表示させる表示手段と、表示面へのタッチを検知して、設定ないし調整が完了した旨の表示をおこなう端末表示制御手段と、表示面へのタッチを検知して、当該タッチにかかる部位の設定ないし調整が完了したことを主装置へ通知する完了通知手段と、を具備し、ライン構成装置は、主装置における開始表示へのタッチに基づき起動ないし駆動を開始することを特徴とする。
【０００９】
すなわち、請求項１にかかる発明は、調整部位にタッチパネル端末装置を配置して、ハンズフリーにて作業性と確実性を向上させることができる。
詳細には、設定ないし調整が必要な部位近傍にて設定情報を確認しながら作業をおこなえ、タッチパネルをタッチすることで作業の終わった部位とそうでない部位の区別を明瞭化し個々の作業の確実性を高め、総ての作業が終了しないとライン構成装置の作動が抑制されるようにして型替えの確実性を向上させる。
また、タッチパネル端末装置は、事実上、電子ペーパ様の薄型・小型・低スペックの装置を採用でき、既存のラインに対しても安価に導入できる。
【００１０】
包装機は、製箱機、箱詰機、ピロー包装機、フィルム包装機、を含み広義である。シュリンクラップするようなものも含まれる。包装資材は、被せるもの、包むもの、収容するものを意味し、収容物とは、被せられる対象、包まれる対象、収容される対象を意味する。
なお、端末装置はライン構成装置に複数台配置するが、調整部位が近接して複数存在する場合は、一つの調整の名称とその設定情報とを横一行に表示し、端末装置を共用して一台で複数行にて複数の調整部位を表示させるようにしてもよい。一画面に収まらない場合は、次ページボタンを表示し、タッチにより次の画面または、次の行が表示されるようにしてもよい。たとえば「ボトムウォール：００６００」、「トップウォール：００５６０」、「フロントウォール：０１８８５」、「バックウォール：００３００」、「取出装置高さ：００３２０」、「プッシャ番号０１：１２．３」、「吸引目盛：８．２」、「アーム０８番：１２．３，４．２，−８．９」などの表示例を挙げることができる。仕様の態様により、設定ないし調整に関する情報に限定されず、注意事項、たとえば、「アーム０２番設定後に、プッシャ８番を調整。順序注意」のような内容が付加されていてもよい。
作業名は型替えの識別名称をいう。たとえば、「菓子箱０４」などという名称をいう。
設定ないし調整が完了した旨の表示の方法は特に限定されず、たとえば、部位の名称と設定情報の一行表示の右端に枠囲みで「完了」の表記があり、これが反転表示される態様を挙げることができる。この他、画面全体が完了という表記に変わる、一行表示自体が反転または太字または消滅する、というような態様とすることもできる。
【００１１】
請求項２に記載の包装ラインシステムは、請求項１に記載の包装ラインシステムにおいて、各部位は色分けされており、表示面における部位の名称と設定情報との表示は、当該部位と同じ配色とすることを特徴とする。
【００１２】
すなわち、請求項２にかかる発明は、設定ないし調整をする部位の取り違えを少なくし、作業の確実性が向上する。特に、端末装置が近接して配置されていたり、複数行表示をしたりする場合に、作業の確実性が向上する。
【００１３】
なお、色づけられる「部位の名称と設定情報との表示」とは、文字色という意義に限定されず、背景や枠囲み等、当該情報を看取させるものであれば特に限定されない。
【００１４】
請求項３に記載の包装ラインシステムは、請求項１または２に記載の包装ラインシステムにおいて、表示面へのタッチの時間間隔を計測する計測手段と、計測手段により計測された時間間隔が所定の時間間隔より短い場合に警告をおこなう警告手段と、を具備したことを特徴とする。
【００１５】
すなわち、請求項３にかかる発明は、適当にまとめてタッチするような作業者の意識を変え、個々の作業後にそれぞれタッチという鉄則を遵守させ、型替えの確実性を向上させる。
【００１６】
なお、警告は広義であり、警告音、回転灯点滅等の他、監督者への通知や、ログ記録も含まれるものとする。
【００１７】
請求項４に記載の包装ラインにステムは、請求項１または２に記載の包装ラインシステムにおいて、表示面へのタッチの時間間隔を計測する計測手段を具備し、計測手段により計測された時間間隔が所定の時間間隔より短い場合には開始表示が表示されないことを特徴とする。
【００１８】
すなわち、請求項４にかかる発明は、適当にまとめてタッチするような作業者の意識を変え、個々の作業後にそれぞれタッチという鉄則を遵守させ、型替えの確実性を向上させる。
【発明の効果】
【００１９】
本発明によれば、包装ラインの型替えの作業性と確実性を向上させることができる。
【図面の簡単な説明】
【００２０】
【図１】本発明の包装ラインシステムの概要図である。
【図２】本発明の包装ラインシステムのハードウェア構成の一例を示した図である。
【図３】データ格納部３３０に格納された、情報の組の構成概念図である。
【図４】画面２０３の構成例を示した図である。
【図５】包装ラインシステムの機能的構成例を示した説明図である。
【発明を実施するための形態】
【００２１】
以下、本発明の実施の形態を図面を参照しながら詳細に説明する。ここでは、カラー表示可能な複数のタッチパネル式電子ペーパと、タッチパネル式のモニタが備わった中央制御装置とが無線接続された態様について説明する。また、箱詰めについての態様について説明する。図１は、本発明の包装ラインシステムの概念図である。
【００２２】
＜包装ラインシステムの外観構成＞
図１に示したように、包装ラインシステム１は、箱の組立てから箱に収容物を収容し出荷可能な状態にするラインを構成する様々な装置群１０と、調整部位近傍に配置された電子ペーパ２０と、各電子ペーパ２０へ設定情報等を送信しまた各電子ペーパから完了通知を受信する中央制御装置３０を備える。なお、電子ペーパ２０と中央制御装置３０とは、無線アクセスポイント装置４０を介して接続されている。型替えに際しては、送り出す箱自体を変える場合の他、箱が同じであっても収容物を異ならせたり、収容物の量を異ならせる場合もあり、一日に複数回の型替えが必要となる。
【００２３】
型替えにおいては、アームその他の機械的構成の類を交換する作業はほとんど生じず、たいていの場合、特定箇所の設定変更や調整作業が主となる。
包装ラインシステム１では、そのような作業が必要な箇所（以降、調整部位と適宜称する。）の近傍に電子ペーパ２０が配置されており、型替えに際して、中央制御装置３０からの情報に基づき各電子ペーパ２０の表示内容が更新され、作業者がそれらを確認しながら両手作業にて型替え作業を効率的におこなえるようにしている。
【００２４】
＜包装ラインシステムのハードウェア構成：中央制御装置＞
包装ラインシステム１をハードウェアの観点から説明する。図２は、本発明の包装ラインシステムのハードウェア構成の一例を示した図である。
【００２５】
中央制御装置３０は、汎用のコンピュータ、たとえば、パーソナルコンピュータを用いることができる。中央制御装置３０は、そのハードウェア構成として、ＣＰＵ３０１と、ＲＯＭ３０２と、ＲＡＭ３０３と、ストレージとしてハードディスク（ＨＤ）３０４と、グラフィックスカード３０５と、タッチパネル式のモニタ３０６と、キーボード（Ｋ／Ｂ）３０７と、マウス（ＭＯＵＳＥ）３０８と、ネットワークインターフェースカード（ＮＩＣ）３０９と、を有する。
【００２６】
ＣＰＵ３０１は、ＯＳと共に中央制御装置３０全体を制御し、調整部位の名称とその設定情報とを対応する電子ペーパ２０へそれぞれ送出し、また、電子ペーパ２０からの完了報告を受信する。また、装置群１０の起動制御や駆動制御もおこなう。
設定情報は、各電子ペーパ２０において表示され箱および／または収容物に対応した情報であって当該電子ペーパ２０の配置された近傍にある単数もしくは複数の調整部位の、位置、間隔、数値その他の設定ないし調整に関する情報をいう。具体的な情報内容は後述する。
【００２７】
ＲＯＭ３０２は、ブートプログラム等を記憶する。使用の態様によっては、ＲＯＭ３０２は、中央制御装置３０の制御プログラムを格納しておいてもよい。ＲＡＭ３０３は、ＣＰＵ３０１のワークエリアとして使用する。具体的には、ハードディスク３０４から読み出されたデータの内容やプログラム内容などを一時的に格納する。
【００２８】
ハードディスク３０４は、オペレーティングシステム（ＯＳ）、アプリケーションプログラム、各種のデータを記憶する。ハードディスクの構成については後述する。
【００２９】
グラフィックスカード３０５は、モニタ３０６へ出力すべき画像信号を送出する。使用の態様より、各電子ペーパ２０にて表示される設定情報を確認できるようにモニタ３０６へウィンドウ表示させるようにしてもよい。
【００３０】
ＮＩＣ３０９は、中央制御装置３０をネットワークＮに接続する。なお、具体的な説明は省略するがイーサーネットに接続し、その一つの末端に無線アクセスポイント装置４０を設けている。
【００３１】
ハードディスク３０４は、アプリケーション部３１０とデータ格納部３３０とにより構成される。アプリケーション部３１０は、中央制御装置３０全体を制御するＯＳ３１１と、電子ペーパ２０との間で情報の授受、また、装置群１０の起動ないし駆動制御をおこなう管理プログラム群３１２とにより構成される。
【００３２】
管理プログラム群３１２は、どの型替えとするかを入力・選択などする作業名管理プログラム３２１と、作業名、調整部位の名称、設定情報などを入出力等する組情報管理プログラム３２２と、電子ペーパへのタッチの時間間隔を計測等する時間管理プログラム３２３と、装置群１０の起動や駆動を制御ないし管理するライン管理プログラム３２４と、を有する。
【００３３】
なお、上記プログラムは、中央制御装置３０が果たす役割の観点から集約したプログラム群を説明したものであって、実際のプログラムは多数のコンポーネントやＤＬＬなどにより構成される。後述する機能的構成は、これらのプログラムが単体もしくは複数で、場合によってはデータ格納部３３０と協働して各種実現されるものである。
【００３４】
次に、データ格納部３３０について説明する。データ格納部３３０は、作業名と、調整部位の名称と、作業名に対応した、当該調整部位の位置、間隔、数値その他の設定ないし調整に関する情報である設定情報と、当該名称と設定情報とをどの端末装置に表示させるかの情報と、を組にして記憶している。また、サーボモータやサクションカップの吸引圧など、型替えに応じて自動的に設定されるプリセットデータも記憶している。
【００３５】
図３は、データ格納部３３０に格納された、情報の組の構成概念図である。図示したように、作業名（型替え名）が「菓子箱Ａ１」のとき、この菓子箱（便宜的に菓子箱Ａと称する）に対応する各種適切な数値等がそれぞれの電子ペーパ２０に表示されるように格納されている。なお、「ボトムウォール」、「トップウォール」、「フロントウォール」、「バックウォール」は組となっており、一つの電子ペーパにまとめて表示される（４行の表示がなされる）。実際の表示例は後述する。
【００３６】
＜包装ラインシステムのハードウェア構成：電子ペーパ＞
電子ペーパ２０は、主要なハードウェア構成として、中央制御装置３０との間で情報を授受する送受信部２０１と、描画を制御する描画制御部２０２と、タッチパネル式のカラー表示可能な画面２０３と、を有する。
【００３７】
送受信部２０１は、中央制御装置３０からの情報（調整部位の名称と設定情報とを中心とした情報の組）を無線アクセスポイント装置４０を介して受信する。また、画面２０３へのタッチを検知すると、その旨を（必要に応じて調整部位の名称と共に）中央制御装置３０へ送信する。ここでは、送受信には２．４ＧＨｚ帯、通信規格ＩＥＥＥ８０２．１５．４のものを採用している。なお、中央制御装置３０からは、各電子ペーパ２０へ一斉に設定情報が送出されるが、送受信部２０１が所定のプロトコルを用いて各電子ペーパ２０それぞれと通信し、誤りなく、その電子ペーパ２０で表示されるべき情報が適正に受信されるようにしている。
【００３８】
描画制御部２０２は、受信した情報を作業者が視認可能に出力（表示）すべく変換する。なお、本実施の形態では、調整部位は色分けされており、描画制御部２０２は、電子ペーパ２０の表示も同一の配色をおこなうようにしている。これにより、作業能率が向上する。なお、調整部位が近接している場合には、一つの電子ペーパ２０に、調整部位の数だけ情報を表示させるものも存在する。このときも、スクロールや色分け表示の制御をおこなう。
【００３９】
画面２０３はタッチパネルであり、描画制御部２０２で変換された情報を出力する（カラーで表示をおこなう）。図４に、画面２０３の構成例を示した。ここでは、横３２０ドット×縦１９２ドット、筐体サイズは、約１４０ｍｍ×８５ｍｍ×１６ｍｍの例を示している。図示したように、調整部位の名称と、その設定情報と、完了マークが一行で描画されている。なお、３行それぞれが別の色であるが、図ではこれを背景ドットの違いで表している。また、上二つの作業は完了しており、完了マークを反転させて表示している。
【００４０】
なお、無線アクセスポイント装置４０は、無線変換送出部４０１を主要なハードウェア構成とし、各電子ペーパ２０へ送出すべき情報を無線にて送出すべく処理をおこなう。
【００４１】
＜包装ラインシステムの機能的構成＞
次に、包装ラインシステム１の機能的構成について説明する。図５は、包装ラインシステム１の機能的構成例を示した説明図である。
【００４２】
まず、電子ペーパ２０は、その主たる機能的構成として、情報入力部５２１と、表示面表示部５２２と、端末表示制御部５２３と、完了通知部５２４と、を有する。
【００４３】
次に、中央制御装置３０は、その主たる機能的構成として、作業名入力部５３１と、記憶部５３２と、抽出部５３３と、情報送出部５３４と、主表示制御部５３５と、計測部５３６と、警告部５３７と、ライン管理部５３８と、を有する。
【００４４】
ただし、包装ラインシステム１は全体でシステムが構築され、各機能的構成は協働するものであって、電子ペーパ２０の機能的構成の中に、実際には中央制御装置３０の構成要素を必要とする場合や、逆に、中央制御装置３０の機能的構成の中に、電子ペーパ２０の構成要素を必要とする場合も存在する。
【００４５】
なお、装置群１０のうち、ここでは、４つの調整部位（名称：ボトムウォール、トップウォール、フロントウォール、バックウォール、そしてこれらを便宜的にα、β、γ、εと表記する。）が近接していて一つの電子ペーパ２０にてそれらの情報が表示される例を概念的に示している（図４参照）。
【００４６】
まず、中央制御装置３０の機能的構成から説明する。
作業名入力部５３１は、箱および／または収容物に基づいて名付けられた作業名をモニタ３０６を介して入力する。モニタ３０６は、タッチパネル式であり、対話的に操作し、作業名を選択していく。たとえば、「菓子箱Ａ１」、「菓子箱Ａ２」など、記憶部５３２に記憶された名称が表示され、タッチにより選択される。
作業名入力部５３１は、モニタ３０６と、ＯＳ３１１と、作業名管理プログラム３２１などによりその機能を実現することができる。
【００４７】
記憶部５３２は、作業名と、調整部位の名称と、作業名に対応した設定情報と、当該名称と設定情報とを表示させるべき電子ペーパ２０のＩＤ情報と、を組にして記憶している。情報の構成概要は図３に示したとおりである。
記憶部５３２は、データ格納部３３０と、キーボード３０７と、組情報管理プログラム３２２と、ＲＡＭ３０３などによりその機能を実現することａできる。
【００４８】
抽出部５３３は、作業名入力部５３１により入力された作業名に基づき、記憶部５３２に記憶された情報の組を抽出する。すなわち、作業名に紐付けされた一連の情報の組を抽出する。
抽出部５３３は、データ格納部３３０と、組情報管理プログラム３２２と、ＲＡＭ３０３などによりその機能を実現することができる。
【００４９】
情報送出部５３４は、抽出部５３３により抽出された情報を、該当する電子ペーパ２０へ送出する。作業名に紐付けされた一連の情報は、電子ペーパ２０のＩＤにより更にグループ化されている。図３に示したように、電子ペーパＩＤ＝０ｘ０１には、４組の情報が対応し、電子ペーパＩＤ＝ｙ００２には、１組の情報が対応している。情報送出部５３４は、ＩＤに紐付けされた「調整部位の名称−設定情報」の組を当該ＩＤの電子ペーパ２０に送出する。なお、電子ペーパ２０の識別は特に限定はないが、当然ながら混信が生じないように処理され、適宜適切な通信プロトコルにより情報が授受される。
情報送出部５３４は、組情報管理プログラム３２２と、ＯＳ３１１と、ＲＡＭ３０３と、ＮＩＣ３０９などによりその機能を実現することができる。
【００５０】
主表示制御部５３５は、電子ペーパ２０からの通知を受信し、作業名入力部５３１により入力された作業名にかかる総ての調整部位の設定ないし調整が完了したと判断される場合に、装置群１０の起動ないし駆動をおこなわしむる表示である開始表示をモニタ３０６に表示させる。これはまず、電子ペーパ２０それぞれから、当該電子ペーパ２０で表示した作業の完了報告がはいり、モニタ３０６上では、逐次その旨が表示される（図示せず）。そして、総ての完了報告が上がってきた場合に、モニタ３０６に「型替完了」「起動」と表示される。この「起動」表示が開始表示である（図１参照）。
また、主表示制御部５３５は、次説する計測部５３６により計測された時間間隔が所定の時間間隔より短い場合には、この「起動」表示を表示しないように制御する。すなわち、装置群１０を運転できなくする。型替え作業者が適当にまとめてタッチするような状況を排除し、個々の作業後にそれぞれタッチという鉄則を遵守させ、型替えの確実性を向上させるためである。
主表示制御部５３５は、ライン管理プログラム３２４と、モニタ３０６とＮＩＣ３０９などによりその機能を実現することができる。
【００５１】
計測部５３６は、電子ペーパ２０の画面２０３へのタッチの時間間隔を計測する。また、警告部５３７は、計測部５３６により計測された時間間隔が所定の時間間隔より短い場合に警告をおこなう。調整部位における設定ないし調整の作業には当然ながら一定の時間がかかり、また、その調整部位の次にどの調整部位にて作業をするか、すなわち、作業順序・作業手順は通常きまっている。包装ラインシステム１では、調整部位の作業が終了した場合に作業者にその調整部位に対応した電子ペーパ２０をタッチさせるようにしており、この作業完了報告が中央制御装置３０に通知される。
【００５２】
したがって、作業者が仮にめんどくさがってまとめてタッチしたりすると時間間隔が短くなり、警告がなされる。逆に、変に端折るようなことをすると警告がでてしまうため、作業者は、かならず、電子ペーパ２０を意識しながら、表示を見る−作業をする−画面２０３をタッチする、という手順を守ることとなり、作業の確実性が向上する。
【００５３】
なお、一台の電子ペーパ２０に複数組の作業が表示される場合には、各行をタッチしていき、その時間間隔が測定されるようにしている。タッチした行（作業が完了した部分）については、図４に示したように完了が反転表示される。
計測部５３６は、時間管理プログラム３２３と、ＮＩＣ３０９と画面２０３などによりその機能を実現することができる。
【００５４】
ライン管理部５３８は、モニタ３０６に表示された開始表示「起動」へのタッチに基づき、装置群１０の起動ないし駆動を開始させる。
ライン管理部５３８は、ライン管理プログラム３２４と、ＯＳ３１１と、ＮＩＣ３０９と装置群１０などによりその機能を実現することができる。
【００５５】
次に、電子ペーパ２０の機能的構成について説明する。電子ペーパ２０は、包装ラインシステム１に多数設置されているが、ここでは、そのうちの一つについて説明する。
【００５６】
情報入力部５２１は、中央制御装置３０から送出された情報（調整部位の名称と作業名に対応した設定情報）を入力する。
情報入力部は、送受信部２０１によりその機能を実現することができる。
【００５７】
表示面表示部５２２は、情報入力部５２１により入力された情報に基づき、画面２０３に調整部位の名称と設定情報とを表示させる。
表示面表示部５２２は、画面２０３と、描画制御部２０２などによりその機能を実現することができる。
【００５８】
端末表示制御部５２３は、表示面へのタッチを検知して、作業（設定ないし調整）が完了した旨の表示をおこなう。図４の例では、反転表示として示してある。なお、端末表示制御部５２３は、調整部位の色分けに応じた表示色としてその表示制御もおこなう。
端末表示制御部５２３は、描画制御部２０２などによりその機能を実現することができる。
【００５９】
完了通知部５２４は、画面２０３へのタッチを検知して、当該タッチにかかる調整部位の作業が完了したことを中央制御装置３０へ通知する。これが積み重なり、装置群１０の起動制御がなされる。
完了通知部５２４は、画面２０３と送受信部２０１などによりその機能を実現することができる。
【００６０】
なお、包装ラインシステム１は、型替えに際して、必ずしも毎回すべての数値等が変わるわけでない。そこで、作業性を向上させるため、変更のある部分だけを目立たせるように表示させるなどしてもよい。
【００６１】
以上説明したように、包装ラインシステム１では、型替え作業を調整箇所の近傍にて電子ペーパ２０によりその内容を表示し、ハンズフリーにて作業が可能となり、作業性が向上する。特に、従来は、ある箇所の型替えをおこなった後、別の場所に移動し、タブレットをスワイプさせたり紙媒体のマニュアルをめくりなおしたりして、その都度、再確認が必要であったところ、必要な設定情報だけが該当箇所にて表示されているので、この点からも作業効率が向上する。また、電子ペーパ２０が多数使用されても、導入コストが低廉で済むので、既存のラインにも提供可能となる。また、軽量で電池による長期駆動が可能であり、設置性にも優れる。
【００６２】
更に、装置群１０の起動ないし駆動には、電子ペーパ２０のタッチおよび適正な時間間隔が要求されるので、作業者に作業手順を遵守させることとなり、作業の確実性も向上する。
【産業上の利用可能性】
【００６３】
本発明は、包装ライン全体でなく、たとえば、製箱ライン部分のみに適用してもよいし、箱詰めライン部分のみに適用してもよい。
また、仕様の態様により、装置群１０にトラブルが発生した場合、そのトラブル近傍の電子ペーパ２０でトラブルシューティングの表示をさせるようにしてもよい。
【符号の説明】
【００６４】
１        包装ラインシステム
１０     装置群
２０     電子ペーパ
３０     中央制御装置
４０     無線アクセスポイント装置
２０１  送受信部
２０２  描画制御部
２０３  画面
３０４  ハードディスク
３０６  モニタ
３０７  キーボード
３０９  ＮＩＣ
３１０  アプリケーション部
３１１  ＯＳ
３１２  管理プログラム群
３２１  作業名管理プログラム
３２２  組情報管理プログラム
３２３  時間管理プログラム
３２４  ライン管理プログラム
３３０  データ格納部
４０１  無線変換送出部
５２１  情報入力部
５２２  表示面表示部
５２３  端末表示制御部
５２４  完了通知部
５３１  作業名入力部
５３２  記憶部
５３３  抽出部
５３４  情報送出部
５３５  主表示制御部
５３６  計測部
５３７  警告部
５３８  ライン管理部
Ｎ        ネットワーク
【図１】
0006584275.tif 000002
【図２】
0006584275.tif 000003
【図３】
0006584275.tif 000004
【図４】
0006584275.tif 000005
【図５】
0006584275.tif 000006